(57)【特許請求の範囲】
【請求項１】
タッチパネル付き表示器の画面に複数の選択ボタンを表示する複数選択ボタン表示制御手段と，タッチパネル付き表示器の画面に表示される各選択ボタンに対応させた各アイテム名およびアイテム画像を記憶可能なアイテム記憶手段と，このアイテム記憶手段に記憶されている各アイテム名を当該各表示選択ボタン内の各アイテム名表示占用領域に表示するアイテム名表示制御手段と，アイテム記憶手段に記憶されている各アイテム画像を当該各表示選択ボタン内の各アイテム画像表示占用領域に表示するアイテム画像表示制御手段と，表示選択ボタンがタッチ操作された場合に当該アイテムが選択されたものと判別する選択判別手段と、前記アイテム記憶手段に記憶されている前記アイテム名に対応する前記アイテム画像が当該アイテム記憶手段に記憶されているか否かを判別する記憶有無判別手段と、を具備し、前記アイテム名表示制御手段が記憶有無判別手段によってアイテム画像が記憶されていないと判別された場合に当該アイテム名を当該表示選択ボタン内の中央部に拡大表示可能に形成され、前記アイテム名が商品名とされかつ前記アイテム画像が当該商品画像とされるとともに商品選択可能に形成されているアイテム選択装置。
【発明の詳細な説明】
【０００１】
【発明の属する技術分野】
本発明は、タッチパネル付き表示器の画面に表示された複数の選択ボタンの中から選択すべきボタンをタッチ操作して当該ボタンに対応するアイテムを選択可能に構成されたアイテム選択装置に関する。特に、店舗等における商品（メニュー）の選択に利用される。
【０００２】
【従来の技術】
例えば電子キャッシュレジスタ型の商品販売データ処理装置において、オペレータ（キャッシャー）がデータ入力手段を用いて商品（アイテム）コードを入力（選択）すると、商品ファイルから商品販売データ（商品名，単価等）が求められ売上ファイルに登録（商品登録）される。当該客の購入品の全てについて商品登録した後に、１取引終了宣言としての締め操作をすると、商品販売データ（合計金額や釣銭額）の算出等を含む会計処理が実行される。その後に、ドロワが自動解放され金銭授受が行なわれ、釣銭がレシートとともに客に手渡される。かくして、複雑な商品販売業務つまりはアイテムの選択とこれに基づくデータ処理を、迅速かつ正確に行なえる。
【０００３】
ここに、データ入力手段つまりアイテム選択装置には、バーコードスキャナ，キーボード，タッチパネル付き表示器等が選択的に採用されるが、例えばレストランにおけるメニュー（アイテム）の選択やコンビニエンスストアにおける商品（アイテム）の選択には、アイテム数の少数的有限性からタッチパネル付き表示器およびこれを有するハンディターミナルが多用されている。
【０００４】
すなわち、タッチパネル付き表示器に当該各アイテムを記した複数の選択ボタンを表示させ、その中から所望の選択ボタンをタッチ操作して当該アイテムを選択可能に形成されたアイテム選択装置として知られている。
【０００５】
【発明が解決しようとする課題】
ところで、従来のタッチパネル付き表示器を利用したアイテム選択装置では、各選択ボタンに文字情報（当該各アイテム名）を表示するものとされているので、選択ボタン数が増大する程に、目的とする１つの選択ボタンを見つけるのに時間が掛かるという指摘がある。また、アイテム名が似ていたり、アイテム名の文字数が長いと、ミス選択が生じる虞が強いとの問題がある。特に、オペレータが新人やアルバイターの場合に客に迷惑が掛かると指摘されている。さらに、アイテムの追加・変更・削除があると、ベテランかつ一時的といえども選択業務能率が低下する。
【０００６】
また、客自身に当該客が希望するアイテム（選択ボタン）をタッチ操作させる新たなシステムを構築し難いとの問題提起もある。例えば“おでん”の種（アイテム）の選択乃至追加選択する場合や、人前で大声で注文（選択）し難い商品（アイテム）について、客に自由に選択させるシステムの場合である。
【０００７】
なお、上記メニューを含む商品に限らず、例えば各種サ−ビスや宛名等をアイテムとする場合にも、同様な指摘や問題がある。
【０００８】
本発明の目的は、アイテムを迅速かつ正確に選択できる取り扱い容易なアイテム選択装置を提供することにある。
【０００９】
【課題を解決するための手段】
請求項１の発明は、タッチパネル付き表示器の画面に複数の選択ボタンを表示する複数選択ボタン表示制御手段と，タッチパネル付き表示器の画面に表示される各選択ボタンに対応させた各アイテム名およびアイテム画像を記憶可能なアイテム記憶手段と，このアイテム記憶手段に記憶されている各アイテム名を当該各表示選択ボタン内の各アイテム名表示占用領域に表示するアイテム名表示制御手段と，アイテム記憶手段に記憶されている各アイテム画像を当該各表示選択ボタン内の各アイテム画像表示占用領域に表示するアイテム画像表示制御手段と，表示選択ボタンがタッチ操作された場合に当該アイテムが選択されたものと判別する選択判別手段と、前記アイテム記憶手段に記憶されている前記アイテム名に対応する前記アイテム画像が当該アイテム記憶手段に記憶されているか否かを判別する記憶有無判別手段と、を具備し、前記アイテム名表示制御手段が記憶有無判別手段によってアイテム画像が記憶されていないと判別された場合に当該アイテム名を当該表示選択ボタン内の中央部に拡大表示可能に形成され、前記アイテム名が商品名とされかつ前記アイテム画像が当該商品画像とされるとともに商品選択可能に形成されているアイテム選択装置である。
【００１０】
かかる発明では、複数選択ボタン表示制御手段は、自動的に，オペレータの指定によりあるいは客の選択により、複数の当該選択ボタンをタッチパネル付き表示器の画面に表示する。また、アイテム名表示制御手段がアイテム記憶手段に記憶されている各アイテム名を当該各表示選択ボタン内の各アイテム名表示占用領域に表示し、アイテム画像表示制御手段がアイテム記憶手段に記憶されている各アイテム画像を当該各表示選択ボタン内の各アイテム画像表示占用領域に表示する。ここに、各選択ボタンには、当該各アイテムの画像と文字（名）が表示される。そして、選択判別手段は、オペレータまたは客によって表示選択ボタンがタッチ操作された場合に、当該アイテムが選択されたものと判別する。
【００１１】
したがって、オペレータまたは客は、表示された選択ボタンをその画像を手掛かりとしてタッチ操作することにより、当該アイテムを選択することができる。すなわち、例えばおでん種（アイテム）の場合に現物（アイテム）と同じ画像（アイテム）をタッチ操作するだけでよいから、アイテムを迅速かつ正確に選択できるとともに、きわめて取り扱いが容易である。
【００１２】
さらに、記憶有無判別手段は、アイテム記憶手段に記憶されているアイテム名に対応するアイテム画像が当該アイテム記憶手段に記憶されているか否かを判別する。この記憶有無判別手段によって、アイテム画像がアイテム記憶手段に記憶されていないと判別された場合は、アイテム名表示制御手段が、当該アイテム名を当該表示選択ボタン内の中央部に拡大表示する。この場合、アイテム画像表示制御手段は働かない。
【００１３】
したがって、画像が表示されない選択ボタンの場合には他の選択ボタンの場合と異なり当該アイテム名が中央部に大きく表示されるから、ミス選択や故障錯誤による選択回避も防止できる。
【００１４】
さらにまた、アイテム名が商品名とされかつアイテム画像が当該商品画像とされ、選択ボタンをタッチ操作することにより当該商品を選択することができるので、コンビニエンスストア，レストラン，スーパーマーケットにおける商品（メニュー）の選択（入力）をより正確かつ迅速に行えるから、業務能率を大幅に向上できかつ客に選択参加させる等のシステムの構築および普及を拡大できる。
【００１５】
【発明の実施の形態】
以下、本発明の実施形態について図面を参照して説明する。本アイテム選択装置は、図１に示す如く、基本的構成が電子キャッシュレジスタ１０とされ、かつ複数選択ボタン表示制御手段（３１，３２）と，アイテム記憶手段（４１ＩＧ，４１Ｇ）と，アイテム名表示制御手段（３１，３２）と，アイテム画像表示制御手段（３１，３２）と，選択判別手段（３１，３２）とを設け、タッチパネル６２付きのオペレータ用表示器６１の画面に表示された各表示選択ボタンＢ内の各アイテム名表示占用領域（下段側）に各アイテム名Ｉを表示し、各アイテム画像Ｇを当該各アイテム画像表示占用領域（上段側）に表示し、オペレータによって表示選択ボタンＢがタッチ操作された場合に当該アイテムが選択されたものと判別可能に形成されている。
【００１６】
また、記憶有無判別手段（３１，３２）を設けるとともに、アイテム名表示制御手段（３１，３２）を記憶有無判別手段によってアイテム画像が記憶されていないと判別された場合に、当該アイテム名Ｉを当該表示選択ボタンＢ内の中央部Ｔに拡大表示可能に形成してある。
【００１７】
図１において、電子キャッシュレジスタ１０は、標準入力装置（キーボード４３）を含むパソコン２０に、外部入出力装置を接続してなる。外観を図３および図４に示す。
【００１８】
パソコン２０は、ＣＰＵ３１，ＲＯＭ３２，ＲＡＭ３３および時計回路等（図示省略）を含み制御部を構成するマザーボード３０に、ＨＤＤ（ハードディスク装置）４１，ＦＤＤ（フロッピーディスク装置）４２，上記キーボード４３，入出力ポート（Ｉ／Ｏ）４６・４７および外部（例えば、ストアコントローラ８０や、これの上位機たる本部ホストコンピュータ）とデータ通信回線網４５を介してデータ通信するための通信用インターフェイス（Ｉ／Ｆ）４４等を接続してなる。
【００１９】
入出力ポート４６にはスキャナ（ＳＣＮ）７１およびその他の入力装置（カードリーダー等）７３が接続され、入出力ポート４７にはプリンタ（ＰＮＴ）７５およびその他の出力装置（自動開放型のドロワ，カードライター等）７６が接続されている。また、制御部（３０）には、各コントローラ（ＣＯＮＴ）を介して音声出力手段（スピーカー）７０，タッチパネル６２および６６が接続されている。
【００２０】
画像表示制御装置５０は、液晶表示方式の表示器６０を構成するオペレータ用表示器（ＦＩＵ）６１および客用表示器（ＢＩＵ）６５に商品販売データや選択ボタンＢを表示制御する。また、オペレータ用表示器６１にタッチパネル６２が取り付けられ、客用表示器６５にタッチパネル６６が取り付けられている。なお、この実施形態では、画像表示制御装置５０は、ＭＰＥＧ画像処理回路を含む、客用表示器６５に動画像コマーシャルを流し、かつこれに同期する音声信号Ｓｖを音声出力手段７０に出力可能である。
【００２１】
タッチパネル６２および６６は、各表示器６１，６５に例えば複数の商品選択ボタン（図６，図７）を表示させ、表示された商品選択ボタンをオペレータや客がタッチ操作することにより、商品の選択（入力）を可能とするために設けられている。
【００２２】
ＨＤＤ４１には、表示器６１の画面に表示するためのグループ別（例えば、部門別）にかつ必要によって高階層化区分された選択ボタンＢを記憶する選択ボタンファイル４１Ｂの他に、アイテム記憶手段を形成する図２に示すアイテムファイル４１ＩＧと，このアイテムファイル４１ＩＧに記憶されたアイテム画像番号（例えば、Ｇ００１，Ｇ００２，…）に対応する各画像データ（例えば、圧縮されたビットマップデータ）を記憶する図１の画像ファイル４１Ｇとが形成されている。
【００２３】
アイテム名および当該画像データは、図１のインターフェイス（Ｉ／Ｆ）４４，データ通信回線網４５を介して外部（ストアコントローラ８０）から送信されて来たものを、アイテム画像データ記憶制御手段（ＣＰＵ３１，ＲＯＭ３２）が、両ファイル４１ＩＧ，４１Ｇに自動記憶する。
【００２４】
ここに、選択ボタン群抽出制御手段（ＣＰＵ３１，ＲＯＭ３２）は、例えば商品販売データ処理の進行に伴って自動指定信号が発せられた場合やオペレータがキーボード４３のキー操作をすることにより指定（図５のＳＴ１０でＹＥＳ）された場合に、選択ボタンファイル４１Ｂを検索して、指定された選択ボタン群を抽出（ＳＴ１１）する。
【００２５】
すると、複数選択ボタン表示制御手段（ＣＰＵ３１，ＲＯＭ３２）が、抽出された複数の当該選択ボタンＢを図６に示す如くタッチパネル６２付きオペレータ用表示器６１の画面に表示する（ＳＴ１２）。
【００２６】
この際に、記憶有無判別手段（ＣＰＵ３１，ＲＯＭ３２）が、アイテム記憶手段（４１ＩＧ）に記憶されているアイテム名に対応するアイテム画像（番号）が記憶されているか否かを判別する（ＳＴ１４）。
【００２７】
そして、この記憶有無判別手段（３１，３２）によって、アイテム画像がアイテム記憶手段（４１ＩＧ）に記憶されている判別された場合（ＳＴ１４のＹＥＳ）に、アイテム画像表示制御手段（ＣＰＵ３１，ＲＯＭ３２）が、アイテム記憶手段（アイテムファイル４１ＩＦ）に記憶されている当該アイテム画像番号（例えば、“Ｓ００７”）に対応するアイテム画像（“焼きつくね”の絵）を画像ファイル４１Ｇから読み出して、当該表示選択ボタンＢ内の上段側のアイテム画像表示占用領域に図７（Ａ）に示す如く表示する（ＳＴ１５）。
【００２８】
また、アイテム名表示制御手段（ＣＰＵ３１，ＲＯＭ３２）が、アイテム記憶手段（４１ＩＧ）に記憶されている各アイテム名（例えば、“焼きつくね”）を当該各表示選択ボタンＢ内の下段側のアイテム名表示占用領域に図７（Ａ）に示す如く表示（ＳＴ１６）する。
【００２９】
かくして、各選択ボタンＢには、当該各アイテムの画像と文字（アイテム名）が表示される（ＳＴ１５，ＳＴ１６）。また、この実施形態では、アイテム名に対応する当該アイテム（商品）の単価（例えば、“￥１００”）も表示可能に形成されている。また、選択ボタンＢの図７（Ａ）で右上に示す数値（例えば、“１”）は、図６に示す確定ボタンＫを押圧（タッチ）操作して当該商品（数）を確定（図８のＳＴ３１）した場合つまり商品登録（ＳＴ３３）した個数を表示させたものである。
【００３０】
しかし、記憶有無判別手段（３１，３２）によって、アイテム画像（番号）がアイテム記憶手段（４１ＩＧ）に記憶されていないと判別された場合（図５のＳＴ１４でＮＯ）は、アイテム名表示制御手段（３１，３２）が、当該アイテム名（“焼きつくね”）を当該表示選択ボタンＢ内の図７（Ｂ）に示す中央部Ｔに拡大表示する（ＳＴ１７）。この場合、アイテム画像表示制御手段（３１，３２）は働かない。全ての当該選択ボタン群内に含まれる商品（アイテム）について実行される（ＳＴ１８のＹＥＳ）。
【００３１】
ここにおいて、選択判別手段（ＣＰＵ３１，ＲＯＭ３２）は、オペレータによってタッチパネル６２上の表示選択ボタンＢがタッチ操作された場合に、当該アイテム（“焼きつくね”）が選択されたものと判別する（図８のＳＴ３０でＹＥＳ）。確定ボタンＫが押圧（タッチ操作）された場合に、確定される（ＳＴ３１）。したがって、確定ボタンＫを押圧する前に、当該選択ボタンＢを繰り返してタッチ操作をすれば、その回数相当の個数を選択（入力）することができる。
【００３２】
なお、スキャナ７１やキーボード４３を用いて商品（アイテム）データを入力（選択）しても（ＳＴ３２のＹＥＳ）、商品登録（ＳＴ３３）することができる。以下、会計処理に進む（ＳＴ３４のＹＥＳ，ＳＴ３５）。
【００３３】
したがって、オペレータは、オペレータ用表示器６１に表示された選択ボタンＢをそのアイテム画像を手掛かりとしてタッチ操作することにより、当該アイテムを選択することができる。すなわち、おでん種（アイテム…“焼きつくね”）の場合に現物（焼きつくね）と同じ画像（串刺しされた焼きつくねの絵）をタッチ操作するだけでよいから、アイテム（焼きつくね）を迅速かつ正確に選択できるとともに、きわめて取り扱いが容易である。
【００３４】
しかも、アイテム画像が表示されない選択ボタンＢには、他の選択ボタンＢの場合と異なり当該アイテム名（例えば、“焼きつくね”）が図７（Ｂ）に示す如く当該選択ボタンＢの中央部Ｔに大きく表示されるので、ミス選択や故障錯誤による選択回避も防止できる。
【００３５】
なお、以上の実施形態では、選択ボタンＢ，アイテム名Ｉおよびアイテム画像Ｇをオペレータ用表示器６１に表示しかつ当該タッチパネル６２のタッチ操作により当該選択ボタン相当アイテムを選択可能に構成した場合について説明したが、図６に括弧書きしたようにタッチパネル６６付き客用表示器６５に選択ボタンを表示しかつ選択するように形成してもよい。かくすれば、客に希望商品（メニュー）を画像を利用して選択（入力）させるシステムを簡単に構築することができる。
【００３６】
また、オペレータ用表示器６１および客用表示器６５の双方に設ければ、オペレータ用表示器６１側でオペレータが成した商品登録に対し、客用表示器６５側で客が追加登録することができるシステムを簡単に構築することができる。
【００３７】
【発明の効果】
請求項１の発明によれば、複数選択ボタン表示制御手段と，アイテム記憶手段と，アイテム名表示制御手段と，アイテム画像表示制御手段と，選択判別手段とを具備し、複数の選択ボタンを当該アイテム名およびアイテム画像とともにタッチパネル付き表示器の画面に表示可能かつオペレータ等が表示選択ボタンがタッチ操作された場合に当該アイテムが選択されたものと判別可能に形成されているので、表示された選択ボタンをアイテム画像を手掛かりとしてタッチ操作することにより、当該アイテムを選択することができる。すなわち、例えばおでん種（アイテム）の場合に現物（アイテム）と同じ画像（アイテム）をタッチ操作するだけでよいから、アイテムを迅速かつ正確に選択できるとともに、きわめて取り扱いが容易である。
【００３８】
さらに、アイテム名表示制御手段が記憶有無判別手段によってアイテム画像が記憶されていないと判別された場合に当該アイテム名を当該表示選択ボタン内の中央部に拡大表示可能に形成されているので、請求項４の発明の場合と同様な効果を奏することができることに加え、さらに画像が表示されない選択ボタンの場合には他の選択ボタンの場合と異なり当該アイテム名が中央部に大きく表示されるから、ミス選択や故障錯誤による選択回避も防止できる。
【００３９】
さらにまた、アイテム名が商品名とされかつアイテム画像が当該商品画像とされるとともに商品選択可能に形成されているので、コンビニエンスストア，レストラン，スーパーマーケットにおける商品（メニュー）の選択（入力）をより正確かつ迅速に行えるから、業務能率を大幅に向上できかつ客に選択参加させる等のシステムの構築および普及を拡大できる。
【図面の簡単な説明】
【図１】  本発明の実施形態を示すブロック図である。
【図２】  同じく、アイテムファイルを説明するための図である。
【図３】  同じく、オペレータ用表示器側から見た電子キャッシュレジスタの外観斜視図である。
【図４】  同じく、客用表示器側から見た電子キャッシュレジスタの外観斜視図である。
【図５】  同じく、選択ボタン表示動作を説明するためのフローチャートである。
【図６】  同じく、オペレータ用表示器の選択ボタンの表示態様（１）を説明するための図である。
【図７】  同じく、オペレータ用表示器の表示態様（２）を説明するための図である。
【図８】  同じく、アイテムの選択動作を説明するためのフローチャートである。
【符号の説明】
１０  電子キャッシュレジスタ（アイテム選択装置）
２０  パソコン
３０  マザーボード
３１  ＣＰＵ（複数選択ボタン表示制御手段，アイテム名表示制御手段，アイテム画像表示制御手段，選択制御手段、記憶有無判別手段）
３２  ＲＯＭ（複数選択ボタン表示制御手段，アイテム名表示制御手段，アイテム画像表示制御手段，選択制御手段、記憶有無判別手段）
４１  ＨＤＤ
４１Ｂ  選択ボタンファイル
４１ＩＧ  アイテムファイル（アイテム記憶手段）
４１Ｇ  画像ファイル（アイテム記憶手段）
５０  画像表示制御装置
６０  表示器
６１  オペレータ用表示器
６２  タッチパネル
６５  客用表示器
６６  タッチパネル
７１  スキャナ
７５  プリンタ
８０  ストアコントローラ
Ｂ  選択ボタン
Ｉ  アイテム名
Ｇ  アイテム画像
Ｔ  中央部
【図１】
0003862878.tif 000002
【図２】
0003862878.tif 000003
【図３】
0003862878.tif 000004
【図４】
0003862878.tif 000005
【図５】
0003862878.tif 000006
【図６】
0003862878.tif 000007
【図７】
0003862878.tif 000008
【図８】
0003862878.tif 000009